(57)【特許請求の範囲】
【請求項１】
複数のユーザが利用する共有画面に複数のオブジェクトを表示させる表示データを生成する表示データ生成装置であって、
各々のオブジェクトに対するユーザの操作履歴情報を記憶する記憶部と、
いずれかのオブジェクトに対する操作を検出したら、前記操作を行ったユーザを識別し、前記操作履歴情報を参照して、前記操作を行ったユーザが、前記オブジェクトを初めて操作したユーザであるかを判定し、初めて操作したユーザであれば、前記オブジェクトの表示形態を変更すると判定する処理判定部と、
前記処理判定部の判定結果に従って、前記オブジェクトの表示形態を変更した表示データを生成する画像処理部と、を少なくとも備える、
ことを特徴とする表示データ生成装置。
【請求項２】
前記画像処理部は、前記オブジェクトを操作したユーザの人数に応じて、前記オブジェクトの表示形態の変更量を調整する、
ことを特徴とする請求項１に記載の表示データ生成装置。
【請求項３】
前記オブジェクトに対する操作は、種別毎に重み付けがされており、
前記画像処理部は、前記オブジェクトに対する操作の種別に応じた重み付けに従って、前記オブジェクトの表示形態の変更量を調整する、
ことを特徴とする請求項２に記載の表示データ生成装置。
【請求項４】
前記オブジェクトの表示形態は、前記オブジェクトのサイズ、前記オブジェクトの表示濃度、前記オブジェクトの表示色のいずれかを含む、
ことを特徴とする請求項１乃至３のいずれか一に記載の表示データ生成装置。
【請求項５】
前記オブジェクトに対する操作は、前記オブジェクトの移動、前記オブジェクトの修飾、前記オブジェクトに関連するオブジェクトの作成、前記オブジェクトに関連付けられた文言の発言のいずれかを含む、
ことを特徴とする請求項１乃至４のいずれか一に記載の表示データ生成装置。
【請求項６】
請求項１乃至５のいずれか一に記載の前記表示データ生成装置と、前記表示データに基づいて前記共有画面に前記複数のオブジェクトを表示する表示装置と、前記オブジェクトを操作する操作端末と、を備える表示制御システムであって、
前記表示データ生成装置は、前記操作端末から取得したオブジェクトの操作情報及びユーザ情報に基づいて、前記オブジェクトに対する操作及び前記操作を行ったユーザを識別する、
ことを特徴とする表示制御システム。
【請求項７】
請求項１乃至５のいずれか一に記載の前記表示データ生成装置と、前記表示データに基づいて前記共有画面に前記複数のオブジェクトを表示する表示装置と、ユーザ情報を送信する識別端末と、を備える表示制御システムであって、
前記表示装置は、前記共有画面上に、タッチパネル及び前記識別端末から前記ユーザ情報を取得する受信部を備え、
前記表示データ生成装置は、前記表示装置から取得したオブジェクトの操作情報及び前記ユーザ情報に基づいて、前記オブジェクトに対する操作及び前記操作を行ったユーザを識別する、
ことを特徴とする表示制御システム。
【請求項８】
請求項１乃至５のいずれか一に記載の前記表示データ生成装置に、前記表示データに基づいて前記共有画面に前記複数のオブジェクトを表示する表示部、を備える、
ことを特徴とするコンピュータ装置。
【請求項９】
複数のユーザが利用する共有画面に複数のオブジェクトを表示させる表示データを生成する装置で動作する表示制御プログラムであって、
前記装置を、
いずれかのオブジェクトに対する操作を検出したら、前記操作を行ったユーザを識別し、予め記憶された、各々のオブジェクトに対するユーザの操作履歴情報を参照して、前記操作を行ったユーザが、前記オブジェクトを初めて操作したユーザであるかを判定し、初めて操作したユーザであれば、前記オブジェクトの表示形態を変更すると判定する処理判定部、
前記処理判定部の判定結果に従って、前記オブジェクトの表示形態を変更した表示データを生成する画像処理部、として機能させる、
ことを特徴とする表示制御プログラム。
【請求項１０】
前記画像処理部は、前記オブジェクトを操作したユーザの人数に応じて、前記オブジェクトの表示形態の変更量を調整する、
ことを特徴とする請求項９に記載の表示制御プログラム。
【請求項１１】
前記オブジェクトに対する操作は、種別毎に重み付けがされており、
前記画像処理部は、前記オブジェクトに対する操作の種別に応じた重み付けに従って、前記オブジェクトの表示形態の変更量を調整する、
ことを特徴とする請求項９に記載の表示制御プログラム。
【請求項１２】
前記オブジェクトの表示形態は、前記オブジェクトのサイズ、前記オブジェクトの表示濃度、前記オブジェクトの表示色のいずれかを含む、
ことを特徴とする請求項９乃至１１のいずれか一に記載の表示制御プログラム。
【請求項１３】
前記オブジェクトに対する操作は、前記オブジェクトの移動、前記オブジェクトの修飾、前記オブジェクトに関連するオブジェクトの作成、前記オブジェクトに関連付けられた文言の発言のいずれかを含む、
ことを特徴とする請求項９乃至１２のいずれか一に記載の表示制御プログラム。
【発明の詳細な説明】
【技術分野】
【０００１】
本発明は、表示データ生成装置及び表示制御システム並びに表示制御プログラムに関し、特に、複数人が共有する画面に表示する表示データを生成する表示データ生成装置及び表示データ生成装置を含む表示制御システム並びに表示データ生成装置で動作する表示制御プログラムに関する。
【背景技術】
【０００２】
会議等では、複数のユーザが利用可能な共有画面を用い、その共有画面に文字や図形、画像などの表示要素（以下、オブジェクトと呼ぶ。）を書き込んで議論が行われる。このような共有画面では、画面を縮小して今までの議論全体を俯瞰する場合に、一定の縮小比で画面を縮小してしまうとオブジェクトが判読できなくなってしまうことがある。このような背景から、重要なオブジェクトについてはサイズを大きくするなどして強調表示し、議論全体の流れや構成を把握しやすくする方法が用いられる。
【０００３】
特定のオブジェクトを強調表示する技術に関して、例えば、下記特許文献１には、表示部と、Ｗｅｂページを取得するページ取得手段と、このページ取得手段により取得されたＷｅｂページを前記表示部に表示させるページ表示制御手段と、このページ表示制御手段により前記表示部に表示されたＷｅｂページに対してユーザ所望の操作を実行するユーザ操作実行手段と、このユーザ操作実行手段により実行された前記Ｗｅｂページに対するユーザ操作の履歴を記憶する操作履歴記憶手段と、前記ページ表示制御手段により前記Ｗｅｂページを前記表示部に表示させる際に、前記操作履歴記憶手段により記憶された当該Ｗｅｂページに対するユーザ操作の履歴に基づき、当該Ｗｅｂページ上でユーザ操作の頻度が高い部分を強調して表示させる強調表示制御手段と、を備えた情報表示装置が開示されている。
【０００４】
また、下記特許文献２には、発券端末などの自動機において、入力フォーマットを自由に選択できるタッチパネル装置を用い、入力頻度の高い項目を先頭に並び換えることができる学習機能および入力頻度の高い項目を拡大、色分けすることができる強調機能を有し、さらに、出力処理が終るまで、保持する出力監視機能を有したタッチパネル入力装置が開示されている。
【先行技術文献】
【特許文献】
【０００５】
【特許文献１】特開２００９−００９５１９号公報
【特許文献２】特開平０５−１６５５７０号公報
【発明の概要】
【発明が解決しようとする課題】
【０００６】
複数のオブジェクトを配置して表示する場合に、特定のオブジェクトを強調表示することによって、どのオブジェクトが重要であるかを判別しやすくすることができる。しかしながら、どのオブジェクトを強調表示するかをユーザが設定するのは面倒である。
【０００７】
また、１人が操作する場合においては、特許文献１、２に示すように、オブジェクトの操作頻度に応じて強調表示することもできる。しかしながら、この方法では、１人が何度も操作したオブジェクトが強調されてしまうため、オブジェクトが表示された画面を複数人のグループで利用する場合には、グループ全体にとって重要なオブジェクトを正しく認識することができないという問題がある。
【０００８】
本発明は、上記問題点に鑑みてなされたものであって、その主たる目的は、複数人で共有する画面に複数のオブジェクトを表示する際に、適切なオブジェクトを強調して表示することができる表示データ生成装置及び表示制御システム並びに表示制御プログラムを提供することにある。
【課題を解決するための手段】
【０００９】
上記目的を達成するため、本発明は、複数のユーザが利用する共有画面に複数のオブジェクトを表示させる表示データを生成する表示データ生成装置であって、各々のオブジェクトに対するユーザの操作履歴情報を記憶する記憶部と、いずれかのオブジェクトに対する操作を検出したら、前記操作を行ったユーザを識別し、前記操作履歴情報を参照して、前記操作を行ったユーザが、前記オブジェクトを初めて操作したユーザであるかを判定し、初めて操作したユーザであれば、前記オブジェクトの表示形態を変更すると判定する処理判定部と、前記処理判定部の判定結果に従って、前記オブジェクトの表示形態を変更した表示データを生成する画像処理部と、を少なくとも備えるものである。
【００１０】
また、本発明は、複数のユーザが利用する共有画面に複数のオブジェクトを表示させる表示データを生成する装置で動作する表示制御プログラムであって、前記装置を、いずれかのオブジェクトに対する操作を検出したら、前記操作を行ったユーザを識別し、予め記憶された、各々のオブジェクトに対するユーザの操作履歴情報を参照して、前記操作を行ったユーザが、前記オブジェクトを初めて操作したユーザであるかを判定し、初めて操作したユーザであれば、前記オブジェクトの表示形態を変更すると判定する処理判定部、前記処理判定部の判定結果に従って、前記オブジェクトの表示形態を変更した表示データを生成する画像処理部、として機能させるものである。
【発明の効果】
【００１１】
本発明の表示データ生成装置及び表示制御システム並びに表示制御プログラムによれば、複数人で共有する画面に複数のオブジェクトを表示する際に、適切なオブジェクトを強調して表示することができる。
【００１２】
その理由は、表示データ生成装置（表示制御プログラム）は、複数人が利用する共有画面に表示されているオブジェクトに対する操作（オブジェクトの移動や修飾、関連するオブジェクトの作成、オブジェクトに関連付けられた文言の発音など）が行われた時、操作を行った操作者を識別し、操作者の変化に応じてそのオブジェクトの表示形態（サイズや濃度、色など）を変更して強調表示する制御を行うからである。
【００１３】
また、予め記憶した操作履歴情報を参照して、識別した操作者が、そのオブジェクトに対して初めて操作を行った操作者であるかを判定し、初めて操作を行った操作者の場合は、オブジェクトの表示形態を変更する制御を行ったり、操作者の合計人数に応じてオブジェクトの表示形態の変更量を調整する制御を行ったりするからである。
【図面の簡単な説明】
【００１４】
【図１】本発明の一実施例に係る表示制御システムの構成を模式的に示す図である。
【図２】図１の表示制御システムの構成を示すブロック図である。
【図３】本発明の一実施例に係る表示制御システムの他の構成を模式的に示す図である。
【図４】図３の表示制御システムの構成を示すブロック図である。
【図５】本発明の一実施例に係る表示制御システムの動作を示すフローチャート図である。
【図６】本発明の一実施例に係る表示形態の変更方法の一例を示す図である。
【図７】本発明の一実施例に係る表示形態の変更方法の他の例を示す図である。
【図８】本発明の一実施例に係る表示形態の変更方法の他の例を示す図である。
【図９】本発明の一実施例に係る操作履歴情報の一例を示す図である。
【図１０】本発明の一実施例に係る操作履歴情報の他の例を示す図である。
【図１１】本発明の一実施例に係る表示形態の変更方法の他の例を示す図である。
【図１２】本発明の一実施例に係る共有画面の遷移例を示す図である。
【発明を実施するための形態】
【００１５】
背景技術で示したように、会議等では複数のユーザが利用する共有画面を用いることが多いが、複数のオブジェクトを表示する際に一様に表示すると、どのオブジェクトが重要であるのかが分かりにくい。特に、共有画面を縮小して議論全体を俯瞰する場合、各々のオブジェクトが小さく表示されて判読できなくなってしまい、議論全体の流れや構成を把握するのが困難になる。
【００１６】
ここで、特定のオブジェクトを強調して表示する方法として、強調表示したいオブジェクトをユーザが設定する方法が考えられるが、この方法では、ユーザがその都度オブジェクトを選択しなければならず面倒である。また、特許文献１、２のように、１人で操作する場合においては、オブジェクトの操作頻度に応じて強調表示するという方法も考えられるが、この方法では、１人が何度も操作したオブジェクトが強調されてしまい、複数人のグループで画面を共有する場合、重要なオブジェクトを正しく認識することができないという問題がある。
【００１７】
そこで、本発明の一実施の形態では、共有画面内に複数のオブジェクト（文字や図形など）を配置して表示する際に、オブジェクトを操作した操作者の変化に応じてオブジェクトの表示形態を変える（強調する）ようにする。さらに、そのオブジェクトを初めて操作する者が操作した場合に、オブジェクトの表示形態を変えるようにする。
【００１８】
具体的には、複数人が利用する共有画面に表示されているオブジェクトに対する操作（オブジェクトの移動や修飾、関連するオブジェクトの作成、オブジェクトに関連付けられた文言の発音など）が行われた時、操作を行った操作者を識別し、操作者の変化に応じて（すなわち、異なる操作者がそのオブジェクトを操作した時に）、オブジェクトの表示形態（サイズや濃度、色など）を変更して強調表示する。また、予め記憶した操作履歴情報を参照して、識別した操作者が、そのオブジェクトに対して初めて操作を行った操作者であるかを判定し、初めて操作を行った操作者であれば、オブジェクトの表示形態を変更したり、初めて操作を行った操作者の人数に応じて、そのオブジェクトの表示形態の変更量を調整したりする。
【００１９】
このように、操作者の変化に応じてオブジェクトを強調して表示させることで、画面が見やすくなり、また、全体の構成を把握しやすくすることができる。また、操作人数に応じてオブジェクトを強調して表示させることで、参加メンバー全体としての注目度をより正しく反映することができる。また、共有画面に書き込まれた内容の全体を俯瞰表示した時に、重要なオブジェクトが他より大きく表示されるため、重要なオブジェクトを見落とすことがなくなる。
【実施例】
【００２０】
上記した本発明の実施の形態についてさらに詳細に説明すべく、本発明の一実施例に係る表示データ生成装置及び表示制御システム並びに表示制御プログラムについて、図１乃至図１２を参照して説明する。図１、３は、本実施例の表示制御システムの構成を模式的に示す図であり、図２、４は、表示制御システムの構成を示すブロック図である。また、図５は、本実施例の表示制御システムの動作を示すフローチャート図であり、図６−８、１１は、本実施例の表示形態の変更方法の一例を示す図である。また、図９、１０は、操作履歴情報の一例を示す図であり、図１２は、本実施例の共有画面の遷移例を示す図である。
【００２１】
本実施例の表示制御システムは、複数のユーザが利用する共有画面に複数のオブジェクトを表示させるためのデータ（以下、表示データと呼ぶ。）を生成する表示データ生成装置と、表示データに基づいて複数のオブジェクトを表示する表示装置と、を備えている。なお、表示データ生成装置と表示装置とは別々の装置としてもよいし、一体の装置としてもよい。
【００２２】
この表示制御システムは、ユーザが操作端末を用いてオブジェクトを操作する場合と、表示装置上で直接オブジェクトを操作する場合とで異なる構成となる。以下、各々の場合の構成について、図面を参照して説明する。
【００２３】
図１は、本実施例の表示制御システム１０の第１の構成を模式的に示す図であり、表示制御システム１０は、複数のオブジェクトを含む表示データを生成して共有画面に表示させる表示データ生成装置２０と、共有画面に表示されたオブジェクトに対して各操作者が操作を行う操作端末３０などで構成される。以下、図２を参照して、各装置の詳細を説明する。
【００２４】
［表示データ生成装置］
表示データ生成装置２０は、表示部２１と、通信部２２と、処理判定部２３と、記憶部２４と、画像処理部２５などで構成される。
【００２５】
表示部２１は、液晶表示装置（ＬＣＤ：Liquid Crystal Display）や有機ＥＬ（Electro Luminescence）表示装置等からなり、複数のユーザが利用する共有画面を提供する。この共有画面には、複数のオブジェクトが表示され、複数のオブジェクトは個々に選択できるようになっている。
【００２６】
通信部２２は、ＮＩＣ（Network Interface Card）やモデムなどで構成され、有線通信や無線通信によりネットワークに接続された操作端末３０と交信し、操作端末３０から操作情報や操作者の識別情報などを受信する。
【００２７】
判定処理部２３は、通信部２２を介して、操作端末３０から操作情報や操作者の識別情報などを取得し、オブジェクトに対する操作を検出すると、記憶部２４に保存されている操作履歴情報と取得した操作者の識別情報とを照合し、その操作者が、そのオブジェクトに対して初めて操作を行った操作者であるかどうかを判定する。そして、初めて操作を行った操作者である場合には、オブジェクトの表示形態を変更するように、画像処理部２５に指示を出す。
【００２８】
記憶部２４は、ＲＯＭ（Read Only Memory）やＲＡＭ（Random Access Memory）などのメモリ、ＨＤＤ（Hard Disk Drive）などで構成され、オブジェクトのデータと、各オブジェクトに対する操作履歴情報（どのオブジェクトを過去に誰が操作したかを示す情報）を保存する。
【００２９】
画像処理部２５は、記憶部２４に保存されているオブジェクトのデータを合成して共有画面に表示する表示データを生成し、表示部２１に送ると共に、通信部２２を介して操作端末３０に送信する。また、画像処理部２５は、処理判定部２３から指示を受け取った場合は、指示に従い、操作者の変化に応じて（例えば、そのオブジェクトを初めて操作した操作者の人数に応じて）、オブジェクトの表示形態を変更し、変更した表示形態でオブジェクトを表示させる表示データを生成する。
【００３０】
［操作端末］
操作端末３０は、認証部３１と、通信部３２と、操作部３３と、表示部３４などで構成される。
【００３１】
認証部３１は、操作部３３により入力されたユーザＩＤやパスワードなどのユーザ情報と、予め記憶したユーザ情報とを比較し、操作者を認証する。なお、認証方法はユーザＩＤやパスワードなどに限定されず、指紋パターンや静脈パターンなどの生体情報を用いることもできる。
【００３２】
通信部３２は、ＮＩＣやモデムなどで構成され、有線通信や無線通信によりネットワークに接続された表示データ生成装置２０と交信し、表示データ生成装置２０から共有画面に表示している画面の表示データを受信したり、表示データ生成装置２０に操作情報や操作者の識別情報などを送信したりする。
【００３３】
操作部３３は、マウスやキーボードなどで構成され、ユーザ情報の入力や表示部３４に表示されているオブジェクトに対する操作（オブジェクトの移動や修飾、関連するオブジェクトの作成などの操作）を受け付ける。
【００３４】
表示部３４は、液晶表示装置や有機ＥＬ表示装置等からなり、表示データ生成装置２０から取得した表示データに基づいて、共有画面と同じ画面を表示する。
【００３５】
上記表示制御システム１０の概略動作について説明する。ユーザは、操作端末３０の認証部３１にて個人認証を行う。これにより、操作端末３０は操作者の識別情報を取得する。次に、操作端末３０は、通信部３２を介して、表示データ生成装置２０から共有画面に表示している表示データを受け取り、表示部３４に表示させる。
【００３６】
そして、ユーザが、表示部３４に表示されている画面を見ながら、操作部３３を操作して、オブジェクトの操作を指示すると、通信部３２は、操作情報および操作者の識別情報を表示データ生成装置２０に送る。
【００３７】
表示データ生成装置２０は、通信部２２を介して、操作端末３０からの操作情報および操作者の識別情報を受け取ると、処理判定部２３は、記憶部２４に記憶されている操作履歴情報と照合して、オブジェクトの操作者を識別し、操作者の変化に応じて（例えば、操作者がそのオブジェクトを初めて操作したかに応じて）、オブジェクトの表示形態を変更するか否かを判定する。そして、オブジェクトの表示形態を変更する場合は、画像処理部２５に表示形態の変更指示を行う。
【００３８】
画像処理部２５は、処理判定部２３から受け取った指示に基づき、操作者の変化に応じて（例えば、そのオブジェクトを初めて操作した操作者の人数に応じて）、オブジェクトの表示形態の変更（各オブジェクトの拡大／縮小）を行う。そして、それらのオブジェクトを合成して表示データを生成して表示部２１に送る。表示部２１は、その表示データに基づいて表示形態を変更したオブジェクトを共有画面に表示する。
【００３９】
図３は、本実施例の表示制御システム１０の第２の構成を模式的に示す図であり、表示制御システム１０は、複数のオブジェクトを含む表示データを生成して共有画面に表示させる表示データ生成装置２０と、各ユーザを識別するための識別端末４０などで構成される。以下、図４を参照して、各装置の詳細を説明する。
【００４０】
［表示データ生成装置］
表示データ生成装置２０は、表示部２１と、処理判定部２３と、記憶部２４と、画像処理部２５と、受信部２６と、操作部２７などで構成される。なお、表示部２１、処理判定部２３、記憶部２４、画像処理部２５の構成は前記した通りであるため、説明は省略する。
【００４１】
受信部２６は、人体（誘電体）を通信媒体として利用する通信方式によって識別端末４０と交信するための受信器であり、表示部２１上や表示部２１近傍に設置される。この受信部２６は、識別端末４０の
操作者と近接することにより識別端末４０から操作者の識別情報を受信する。
【００４２】
操作部２７は、表示部２１の前面又は背面に、透明電極が格子状に配置された感圧方式若しくは静電容量方式のタッチパネル等であり、共有画面に表示されているオブジェクトに対する操作（オブジェクトの移動や修飾、関連するオブジェクトの作成などの操作）を受け付ける。
【００４３】
［識別端末］
識別端末４０は、送信部４１と、記憶部４２などで構成される。
【００４４】
送信部４１は、人体（誘電体）を通信媒体として利用する通信方式によって表示データ生成装置２０と交信するための送信器であり、電流方式の場合は操作者の体に電流を流し、電界方式の場合は、操作者の体表面の静電気の層に信号を与え、表示データ生成装置２０に操作者の識別情報などを送信する。
【００４５】
記憶部４２は、ＲＯＭやＲＡＭなどで構成され、操作者の識別情報などを保存する。
【００４６】
上記表示制御システム１０の概略動作について説明する。ユーザが表示データ生成装置２０の表示部２１に表示されているオブジェクトに対して操作を行うと、識別端末４０の送信部４１は、ユーザの体を通して（人体通信）、表示データ生成装置２０に操作者の識別情報を送る。表示データ生成装置２０の受信部２６は、識別端末４０から操作者の識別情報を受け取る。
【００４７】
処理判定部２３は、操作部２７（タッチパネル）から操作情報を取得し、受信部２６から操作者の識別情報を取得すると、記憶部２４に記憶されている操作履歴情報と照合して、オブジェクトの操作者を識別し、操作者の変化に応じて（例えば、操作者がそのオブジェクトを初めて操作したかに応じて）、オブジェクトの表示形態を変更するか否かを判定する。そして、オブジェクトの表示形態を変更する場合は、画像処理部２５に表示形態の変更指示を行う。
【００４８】
画像処理部２５は、処理判定部２３から受け取った指示に基づき、操作者の変化に応じて（例えば、そのオブジェクトを初めて操作した操作者の人数に応じて）、オブジェクトの表示形態の変更（各オブジェクトの拡大／縮小）を行う。そして、それらのオブジェクトを合成して表示データを生成して表示部２１に送る。表示部２１は、その表示データに基づいて表示形態を変更したオブジェクトを共有画面に表示する。
【００４９】
なお、ここでは、操作端末３０や識別端末４０が表示データ生成装置２０に対して識別情報を送る構成としたが、例えば、会議室全体を撮影するカメラを設置し、カメラ画像から操作者を認識することもできる。この場合、カメラ側で画像認識を行って操作者を識別し、操作者の識別情報を表示データ生成装置２０に送信する構成としてもよいし、カメラからカメラ画像を受け取った表示データ生成装置２０側で画像認識を行って操作者を識別する構成としてもよい。
【００５０】
また、参加者がそれぞれＲＦＩＤ（Radio Frequency Identification）タグを持ち、表示データ生成装置２０の表示部２１に設けたＲＦＩＤリーダでＲＦＩＤタグを検出して位置を特定し、その位置情報と操作が行われた（書き込まれた）位置や時刻から、操作情報と操作者の識別情報とを対応付けるようにしてもよい。また、Bluetooth（登録商標）に代表される近距離無線通信や赤外線通信などを用いて表示データ生成装置２０と識別端末４０とで交信することによって位置を特定し、その位置情報と操作が行われた位置や時刻から、操作情報と操作者の識別情報とを対応付けるようにしてもよい。
【００５１】
また、図１乃至図４では、表示データ生成装置２０に表示部２１を備える構成としているが、表示部２１（図３及び図４の構成の場合は、表示部２１と受信部２６と操作部２７）を独立した表示装置として構成し、表示データ生成装置２０が表示装置の表示を制御する構成としてもよい。
【００５２】
また、表示データ生成装置２０の処理判定部２３及び画像処理部２５は、ハードウェアとして構成してもよいし、表示データ生成装置２０を処理判定部２３及び画像処理部２５として機能させる表示制御プログラムとして構成し、当該表示制御プログラムを、表示データ生成装置２０上で動作させる構成としてもよい。
【００５３】
以下、本実施例の表示制御システム１０（図３及び図４の構成の表示制御システム１０）の動作について、図５のフローチャート図を参照して説明する。
【００５４】
まず、表示データ生成装置２０は、操作部２７によってオブジェクトに対する操作が行われたか（図１及び図２の構成の表示制御システム１０の場合は、操作端末３０から操作情報を受信したか）を判断する（Ｓ１０１）。オブジェクトに対する操作が行われた場合は、操作部２７は操作情報を処理判定部２３に通知し、通信部２２は、識別端末４０から取得した操作者の識別情報を処理判定部２３に通知する。そして、処理判定部２３は、操作情報に基づいて操作部２７でどのオブジェクトが操作されたかを識別すると共に、操作者の識別情報に基づいて操作者を識別する（Ｓ１０２）。
【００５５】
次に、処理判定部２３は、操作されたオブジェクトの操作履歴情報を記憶部２４から取り出して照合し、その操作者が以前にそのオブジェクトを操作したことがあるかを確認する（Ｓ１０３）。その操作者が以前にそのオブジェクトを操作したことがあった場合（Ｓ１０４のＮｏの場合）は、何も行わずにＳ１０１に戻る。一方、初めての操作だった場合（Ｓ１０４のＹｅｓの場合）は、そのオブジェクトの操作履歴情報に、その操作者の識別情報を追加する（Ｓ１０５）。
【００５６】
そして、処理判定部２３は、画像処理部２５にそのオブジェクトの表示形態の変更指示を送り、画像処理部２５は、処理判定部２３の指示に従って、そのオブジェクトの表示形態を変更する（Ｓ１０６）。そして、画像処理部２５は、新たな表示形態（操作されていないオブジェクトに関してそのままの表示形態で）でオブジェクトを表示する表示データを生成して表示部２１に送り、表示部２１は、その表示データに基づいて、共有画面に新たな表示形態でオブジェクトを表示する。その後、Ｓ１０１に戻って、オブジェクトの操作を監視する。
【００５７】
以下、オブジェクトの表示形態の変更方法について図面を参照して説明する。
【００５８】
図６は、オブジェクトの表示サイズを変える場合の例であり、標準の表示サイズを基準にして、操作人数（そのオブジェクトを初めて操作した操作者の人数）に応じてオブジェクトの表示サイズを変えるようにする。例えば、操作人数が１人増えるごとに２０％ずつ表示倍率を大きくする場合は、操作人数が５人になると表示倍率は５人×２０％＝１００％増加して２００％となり、操作人数が１０人になると表示倍率は１０人×２０％＝２００％増加して３００％となる。なお、操作が行われるたびに、オブジェクトを現在の表示サイズから一定の割合（１２０％など）で拡大するようにしてもよい。また、一定の割合ではなく、操作人数に応じて変化の割合を徐々に大きく又は小さくしてもよいし、操作人数に閾値を設けて、その閾値を超えたら表示サイズを変更したり、その閾値を超えるまで表示サイズを変更したりしてもよい。
【００５９】
図７は、オブジェクトの濃淡を変える場合の例であり、オブジェクトの濃淡を、操作人数に応じて段階的に変化させるようにする。例えば、標準の濃度を黒の濃度の５０％とし、操作人数が５人以上となったら８０％、操作人数が１０人以上となったら１００％のように変化させる。
【００６０】
図８は、オブジェクトの表示色を変える場合の例であり、オブジェクトの表示色を操作人数が一定数を超えたら変化させるようにする。例えば、標準の表示色を黒色とし、操作人数が１０人以上となったら目立つ色（例えば、赤色）に変化させる。この場合、複数の色を用い、変化させるレベルを複数用意することで、表示形態を段階的に設定することもできる。
【００６１】
なお、図６乃至図８で示した数値は例示であり、適宜変更可能である。また、表示形態の変更方法は図６乃至図８の構成に限定されず、操作人数に応じて強調して表示可能な形態に変更できればよい。例えば、オブジェクトが文字の場合は、操作人数に応じて線の太さを変更（操作人数が多いほど線を太く）しても良い。また、共有画面に表示している画像全体を拡大・縮小して表示する操作が可能な場合には、例えば、縮小により表示サイズが一定値以下になったオブジェクトは表示しないようにしてもよい。また、操作人数に応じて最小サイズを設け、画面全体を縮小しても、最小サイズより小さくならないようにしてもよい。このような制御を行うことによって、全体を縮小して俯瞰する場合でも、操作人数が多い重要なオブジェクトを判読できるようになり、全体の構成を把握しやすくすることができる。
【００６２】
次に、操作履歴の管理方法について説明する。図９に示すように、共有画面に存在する各オブジェクトに対して、そのオブジェクトを操作したことのある操作者を記載したリストを作成し、記憶部２４に保持しておく。そして、オブジェクトに対して操作が行われた時、その操作者をリスト中の当該オブジェクトに対応する操作者と照合し、リストに記載されていなければ、その操作者をリストへ追加し、表示形態を変更する。
【００６３】
このリストには、さらに操作の項目を追加し、各オブジェクトの操作の種別毎に操作者を記載してもよい。図１０は、オブジェクトの操作の種別毎に操作者を記載したリストの一例であり、オブジェクトに対してある操作が行われた時には、リスト中のそのオブジェクトのその操作に対応する操作者を照合する。これによって、ひとつのオブジェクトに対して異なる操作が行われた場合に、さらに注目度が高いオブジェクトとして表示形態を変更することができる。
【００６４】
さらに、操作の種別毎に重み付け（発言は軽く、修飾は重くするなど）を設定し、その重みに応じて表示形態の変更量を変えても良く、このような制御を行うことによって、それぞれの操作に見合った注目度でオブジェクトを表示することができる。図１１は、操作の種別に応じて重み付けを行った場合の表示形態の変更例を示しており、オブジェクトに対応するキーワードを発言した場合は、表示倍率を１５０％に変更し、オブジェクトに対して修飾を施した場合（オブジェクトに下線を付加したり、オブジェクトを線で囲んだりした場合）は、表示倍率を２００％に変更して、発言の場合よりも強調表示する。
【００６５】
オブジェクトの操作として「発言」を認識する場合、図３及び図４の構成の表示制御システム１０では、受信部２６にマイクの音声データを受信する機能を持たせると共に、処理判定部２３に音声認識機能を持たせる。また、各操作者にマイクを装着し、操作者とマイクとを対応付ける情報を記憶部２４に記憶しておく。
【００６６】
また、オブジェクト作成時、作成されたオブジェクトに対し、それを表すキーワードを付与し、記憶部２４に記憶しておく。例えば、オブジェクトが文字や文書の場合は、その文言をそのままオブジェクトのキーワードとして登録する。また、絵や図形などの場合は、ユーザにキーワードを指定させて登録する。
【００６７】
このような構成において、操作者の誰かが発言した時、受信部２６はマイクから音声データを受信して処理判定部２３に通知し、処理判定部２３は、音声認識機能を用いて発言内容を解析し、キーワードを抽出する。そして、処理判定部２３は、解析した各キーワードと各オブジェクトに予め付与されているキーワードとを照合し、一致した場合に、そのオブジェクトに対して発言という操作が行われたと判定する。
【００６８】
なお、ここでは、マイクからの音声データを表示データ生成装置２０が受信する場合について説明したが、図１及び図２の構成の表示制御システム１０の場合は、マイクからの音声データを操作端末３０が受信して表示データ生成装置２０に送ればよい。また、ここではマイクに基づいて操作者（発音者）を識別しているが、部屋にマイクを設置し、全員の音声を集め、その声紋を解析することによって操作者（発音者）を識別しても良い。
【００６９】
以上、個々のオブジェクトの表示形態を変更する場合について記載したが、画面を俯瞰表示（縮小）した時の表示例について、図１２を参照して説明する。
【００７０】
図１２（ａ）に示すような作業画面が表示されている時に、表示データ生成装置２０の操作部２７や操作端末３０の操作部３３を操作して「俯瞰表示」を指示（あるいは、表示の縮小を指示）した場合、図１２（ｂ）に示すように、今までに書き込まれたオブジェクト全体が均等に縮小されて表示される。
【００７１】
この場合、画像処理部２５は、各オブジェクトの操作人数に応じて表示形態を変更し、図１２（ｃ）に示すような俯瞰画面を表示する。この例では、「お茶の新製品」、「新製品検討」、「スポーツ飲料」などのオブジェクトは、関連オブジェクトが作成されていることから、表示形態が変更（ここではサイズが拡大）される。また、「癒し」、「爽快感」などのオブジェクトは、丸や下線で修飾されていることから、これらのオブジェクトも表示形態が変更（ここではサイズが拡大）される。これによって、各操作者は重要なオブジェクトを容易に認識することができるようになる。また、俯瞰画面を表示する際に、サイズが小さくなって判読しにくくなったオブジェクトは表示を消すこともでき、これによって、重要なオブジェクトを更に目立たせて表示することができるようになる。
【００７２】
以上説明したように、共有画面内に複数のオブジェクトを配置して表示する際に、各オブジェクトに対して、操作者の履歴情報を記憶しておき、そのオブジェクトの操作者の変化に応じてオブジェクトの表示形態を変えたり、初めて操作する人物が操作した場合にオブジェクトの表示形態を変えたり、初めて操作する操作者の人数に応じてオブジェクトの表示形態の変更量を調整することにより、注目されているオブジェクトを強調して表示することができる。
【００７３】
なお、本発明は上記実施例の記載に限定されるものではなく、本発明の趣旨を逸脱しない限りにおいて、その構成や制御は適宜変更可能である。
【００７４】
例えば、図１や図３では、表示データ生成装置２０として、共有画面となる表示部２１にボックス状の制御部を付加する構成を示したが、表示データ生成装置２０は図の記載に限定されず、例えば、コンピュータ装置のような表示部を備える任意の装置とすることができる。
【００７５】
また、上記実施例では、操作者がそのオブジェクトを初めて操作した場合に表示形態を変更（強調）するようにしているが、これは、同じ操作者がそのオブジェクトを何度も操作した場合に表示形態が変更されないようにするためである。しかしながら、ある操作者がそのオブジェクトを操作した後、別の操作者がそのオブジェクトを操作した場合は、当該別の操作者がそのオブジェクトを初めて操作する操作者ではなくても、そのオブジェクトの重要度は高いと考えられる。従って、初めて操作する操作者ではなくても、そのオブジェクトの操作者が代わった場合は、そのオブジェクトの表示形態を変更するようにしてもよい。その際、操作者の人数に応じて表示形態の変更量を調整する場合、同じ操作者が何度も操作した場合と、異なる操作者が操作した場合を同等に取り扱うと、オブジェクトの重要度が適切に反映されない恐れがある。そこで、同じ操作者がオブジェクトを操作した場合は、変更量を小さくして表示形態を変更するように制御することも可能である。
【産業上の利用可能性】
【００７６】
本発明は、複数人が使用する共用画面に表示する表示データを生成する装置、及び、当該装置を備えるシステム、並びに、当該装置で動作するプログラムに利用可能である。
【符号の説明】
【００７７】
１０  表示制御システム
２０  表示データ生成装置
２１  表示装置
２２  通信部
２３  処理判定部
２４  記憶部
２５  画像処理部
２６  受信部
２７  操作部
３０  操作端末
３１  認証部
３２  通信部
３３  操作部
３４  表示部
４０  識別端末
４１  送信部
４２  記憶部
【図１】
0005585889.tif 000002
【図２】
0005585889.tif 000003
【図３】
0005585889.tif 000004
【図４】
0005585889.tif 000005
【図５】
0005585889.tif 000006
【図６】
0005585889.tif 000007
【図７】
0005585889.tif 000008
【図８】
0005585889.tif 000009
【図９】
0005585889.tif 000010
【図１０】
0005585889.tif 000011
【図１１】
0005585889.tif 000012
【図１２】
0005585889.tif 000013